(57)【特許請求の範囲】
【請求項１】
拡張アンカであって、アンカスリーブが設けられており、該アンカスリーブが拡張アンカの組込み方向で見て前方へ突出している複数の拡張舌片を有しており、該拡張舌片が、該拡張舌片の間への拡張体の引き込みによって拡開可能であり、前記拡張アンカ（１０）が係止結合部（２０，３６）を有しており、該係止結合部（２０，３６）が前記拡張体（２４）を、前記拡張舌片（１８）の間に引き込まれていて、前記拡張舌片（１８）を拡開状態に保持する位置で、前記アンカスリーブ（１２）に結合させる形式のものにおいて、
前記係止結合部（２０，３６）が係止フック（３６）及び係止舌片（２０）を有しており、係止フック（３６）が、係止された状態では、実質的に軸平行に配置された係止舌片（２０）の自由端部に周方向で見て上から係合しており、前記係止フック（３６）が前記拡張体（２４）または前記アンカスリーブ（１２）に結合されており、前記係止舌片（２０）が前記両部材（１２，２４）のうち、前記係止フック（３６）が結合していない方の部材（１２，２４）に結合されており、前記係止フック（３６）および／または前記係止舌片（２０）がばね弾性的であることを特徴とする拡張アンカ。
【請求項２】
拡張アンカ（１０）が、拡張舌片（１８）、係止舌片（２０）、係止フック（３６）及びスリット（３８）から成る回動防止装置（１８，２０，３６，３８）を有しており、該回動防止装置（１８，２０，３６，３８）が、拡張体（２４）を回転しないようにアンカスリーブ（１２）で保持する、請求項１記載の拡張アンカ。
【請求項３】
拡張体（２４）が、目標分離箇所（３４）を介してアンカスリーブ（１２）と一体的である、請求項１記載の拡張アンカ。
【請求項４】
拡張アンカ（１０）がプラスチック製である、請求項１記載の拡張アンカ。
【発明の詳細な説明】
【０００１】
本発明は、請求項１の上位概念部に記載した形式の、板状建築材料に固定するための拡張アンカに関する。板状建築材料は例えば、石膏ボードまたはその他の建築材料板である。例えば、中空室石材の壁またはこれに類するものであってもよい。また、本発明による拡張アンカは、軟質の、例えば発泡コンクリートのような多孔質の建築材料における固定にも適している。
【０００２】
このような形式の拡張アンカは、ドイツ連邦共和国特許公開第１９７２００３３号明細書によって公知である。公知の拡張アンカはアンカスリーブを有しており、アンカスリーブは、前方へ突出している拡張舌片を備えている。さらに、公知の拡張アンカは、拡張円錐体として形成されていて、拡張舌片の前に配置されている拡張体を有している。拡張舌片を拡開させるために、拡張体は拡張ねじのねじ込みによって拡張舌片の間に引き込まれる。その際、拡張体は拡張舌片を押し広げる、すなわち拡開させる。拡開させられた拡張舌片は、板状建築材料に後方から係合し、これにより拡張アンカを形状接続的（formschluessig）に建築材料に固定する。
【０００３】
公知の拡張アンカは、拡張ねじが拡張アンカから回し外される時に、または遅くとも、拡張ねじを新たに拡張アンカ内にねじ込む試みに際して、拡張ねじが僅かな軸方向圧力で拡張体に対して押圧される時に、拡張舌片の間の拡張体が外れてしまうという欠点を有している。拡張アンカの固定後に拡張ねじを回して外すことは例えば、改築のために、または拡張アンカで固定された対象物の交換または取り外しの際に必要であるか、または少なくとも所望されることがある。いったん固定された公知の拡張アンカを再び使用することは不可能であり、そのアンカスリーブは、拡張ねじを外した後に穿孔から取り除かなければならず、新しい拡張アンカを使用しなければならない。拡張体は、板状建築材料の裏面の到達不可能な中空室内に残されている。
【０００４】
本発明の課題は、上述のような形式の拡張アンカを改良して、ねじ込まれた拡張ねじを回し外した後に、拡張アンカが再び使用できるようにすることである。
【０００５】
この課題は本発明によれば、請求項１の特徴部に記載したような構成によって解決される。本発明による拡張アンカは、拡張舌片の間への拡張体の引き込み時に係止する係止結合部を有している。係止された状態では係止結合部は、本発明による拡張アンカの拡張体を、拡張舌片の間に引き込まれた位置にアンカスリーブで保持する。これにより、拡張体は拡張ねじを回し外した後も、拡張舌片の間に引き込まれた位置に残されている。引き続き拡張ねじを拡張アンカ内に再び挿入する時に拡張ねじによって軸方向圧力が拡張体に加えられても、本発明による拡張アンカの係止結合部は、拡張体を拡張舌片の間に係止された位置に保持する。拡張体が、拡張舌片の間に引き込まれた位置で、拡張舌片を拡開状態に保持するので、拡張ねじが回し外されても、係止結合部によって本発明による拡張アンカは建築材料に固定された状態に保たれる。したがって本発明による拡張アンカは、拡張アンカの固定後に拡張ねじが回し外される場合に拡張体が紛失するおそれがないという利点を有している。本発明による拡張アンカの他の利点は、拡張アンカが拡張ねじのねじ外し後にも建築材料内に固定された状態に保たれることである。拡張体とアンカスリーブとの係止結合は、拡張舌片を介して、すなわち、拡張体が拡張舌片に係止されていることによって、間接的に行うこともできる。
【０００６】
本発明の１つの構成では、拡張アンカは、実質的に軸平行に配置された１つのまたは複数の係止フックを備えており、この係止フックは、同じく実質的に軸平行に配置された係止舌片と共に、係止結合部を形成している。係止された状態では、係止フックは係止舌片の自由端部に上から係合し、これにより拡張体を拡張舌片の間に引き込まれた位置に保持するようになっている。その場合、係止フックは、拡張体またはアンカスリーブに結合されていてよく、係止舌片は、これらの両部材、すなわち拡張体またはアンカスリーブのうち係止フックが結合していない方の部材に結合されている。係止フックおよび／または係止舌片は、ばね弾性的である。
【０００７】
本発明の別の構成では、拡張アンカは、拡張体を回動しないようにアンカスリーブで保持するもしくはガイドする回動防止装置を有している。回動防止装置は、拡張アンカ内への拡張ねじのねじ込み時に、拡張体が拡張ねじと一緒に回転させられることを防止する。回動防止装置は例えば、拡張舌片の間に係合していて、これにより拡張体を回転しないように、かつ軸方向摺動可能にアンカスリーブでガイドする突起部、リブまたはこれに類するものを有していてよい。本発明による幾つかの構成では、係止装置の係止フックおよび／または係止舌片が回動防止装置を形成していてもよい。
【０００８】
本発明の有利な構成では、拡張体とアンカスリーブとは互いに一体的であり、目標分離箇所を介して互いに結合されている。目標分離箇所は、拡張舌片の間への拡張体の引き込み時に切断され、例えば裂断される。本発明のこのような構成は、本発明による拡張アンカの一体的な製作を可能としており、かつ、拡張体が、拡張ねじのねじ込み時まで紛失されないようにアンカスリーブに結合されているという、別の利点を有している。
【０００９】
有利な構成では、本発明による拡張アンカは、プラスチックから例えば射出成形またはトランスファ成形によって製作されている。これにより、本発明による拡張アンカを低コストで製作することが可能になる。特に、拡張体とアンカスリーブとは問題なく、かつ１つの作業工程でプラスチックから一体的に製作され得る。
【００１０】
次に本発明を、図示の実施例を用いて詳細に説明する。
【００１１】
図１は、本発明による拡張アンカの斜視図、
図２は、図１に示した拡張アンカの側面図、
図３は、図１に示した拡張アンカの使用状態を、半部を断面して示した図である。
【００１２】
これらの図は、種々異なる縮尺で示されている。
【００１３】
図１および図２に示されている本発明による拡張アンカ１０は、一体的に射出成形によってプラスチックから製作されている。拡張アンカ１０はアンカスリーブ１２を有しており、このアンカスリーブ１２は拡張アンカ１０の後端部を形成している。アンカスリーブ１２は、半径方向外方に張り出している差込み深さ制限つば１４を後方の端部に備えている。さらにアンカスリーブ１２から、軸平行に延在する複数の回動防止リブ１６が星形に突出している。これらの回動防止リブ１６は、図１および図２には示されていない拡張ねじのねじ込み時に、拡張アンカ１０が一緒に回動させられることを防止するべく設けられている。
【００１４】
アンカスリーブ１２からは、前方へ複数の拡張舌片１８が突出している。図示して説明する実施例では、拡張アンカ１０は２つの拡張舌片１８を有しており、これらの拡張舌片１８は、それぞれ拡張アンカ１０の外周の一部にわたって延在しており、かつ図示した実施例では相互に間隔を有している。拡張舌片１８は、アンカスリーブ１２と一体的であり、アンカスリーブ１２の、差込み深さ制限つば１４と反対側に位置する前方端面から、アンカスリーブ１２の壁が延長する形で突出している。
【００１５】
拡張舌片１８の間のスペースに、拡張アンカ１０は複数の係止舌片２０を有しており、これらの係止舌片２０の自由端部がアンカスリーブ１２に面している。アンカスリーブ１２から離れた方の端部で、係止舌片２０は結合部２２に移行し、この結合部２２は、係止舌片２０の、アンカスリーブ１２から離れた方の端部をアンカスリーブ１２に一体的に結合している。結合部２２は拡張アンカ１０に対して軸平行に延在しており、拡張アンカ１０の外周領域において係止舌片２０の間に配置されている。係止舌片２０は、周方向でばね弾性的に形成されている。
【００１６】
拡張舌片１８の、アンカスリーブ１２から離れている自由な前方の端部には、拡張体２４が配置されている。拡張体２４は、拡張舌片１８に面した端部に拡張円錐部２６を備えており、この拡張円錐部２６はさらに、円筒形の部分２８に移行し、前方の端部に先細りの円錐部（面取り部３０）を備えて終わっている。拡張体２４は、貫通する雌ねじ山３２（図３）を有している。
【００１７】
拡張体２４は、目標分離箇所３４を介して、係止舌片２０の結合部２２に一体的に結合されている。目標分離箇所３４は、拡張舌片１８の間への拡張体２４の引き込み時（後で説明する）に裂断される肉薄な材質の箇所である。したがって、本発明による拡張アンカ１０の全エレメントは互いに一体的に、かつ１つの作業工程で射出成形によってプラスチックから製作されている。
【００１８】
拡張円錐部２６には、２つの係止フック３６が側方に一体成形されており、これらの係止フック３６は互いに向かい合って配置されている。係止フック３６は、半径方向で拡張アンカ１０の外周を越えて突出しておらず、係止舌片２０と拡張舌片１８との間のスリット３８の延長上に配置されている。係止フック３６の位置および配置形式は、図１に明瞭に示されている。
【００１９】
本発明による拡張アンカ１０の使用状態は、図３に示されている。拡張アンカ１０は、対象物４０を例えば石膏ボード４２に固定するために使用される。固定のために、図１および図２に示されている基本状態の拡張アンカ１０は、石膏ボード４２を貫通する穿孔に、差込み深さ制限つば１４が石膏ボード４２の表面に接触するまで挿入される。その際、回動防止リブ１６が石膏ボード内に押し込まれ、拡張ねじ４４を後でねじ込む際に拡張アンカ１０が一緒に回動させられることを防止する。穿孔への拡張アンカ１０の挿入後、固定しようとする対象物４０が石膏ボード４２上に置かれ、拡張ねじ４４が、対象物４０の穿孔を通り抜けて拡張アンカ１０内に差し込まれる。拡張ねじ４４はアンカスリーブ１２と拡張舌片１８とを通って、拡張体２４まで差し込まれ得る。拡張体２４内に拡張ねじ４４がねじ込まれる。拡張ねじ４４のねじ頭４６が、固定しようとする対象物４０に接触するやいなや、拡張ねじ４４は拡張体２４を拡張舌片１８の間に引き込む。拡張舌片１８の間への拡張体２４の引き込み開始時に、目標分離箇所３４が裂断され、これにより拡張体２４を拡張舌片１８の間に引き込むことができる。拡張舌片１８の間への引き込み時に、拡張体２４の拡張円錐部２６は拡張舌片１８を押し広げ、拡張体２４は拡張舌片１８を拡開させ、これにより拡張アンカ１０を形状接続的に石膏ボード４２に固定する。
【００２０】
拡張舌片１８の間への拡張体２４の引き込み時に、拡張体２４の拡張フック３６が、係止舌片２０と拡張舌片１８との間のスリット３８内にスライドして入る。その際、係止フック３６は係止舌片２０を、周方向で弾性的に側方へ押す。係止フック３６が係止舌片２０の、アンカスリーブ１２に面した自由端部を越えるとすぐに、係止舌片２０はばね弾性的に戻って係止フック３６内に入る。係止フック３６は係止舌片２０の自由端部に上から係合し、拡張体２４の係止フック３６は、アンカスリーブ１２の拡張舌片１８で係止される。係止フック３６および係止舌片２０は、拡張体２４を拡張舌片１８の間に引き込まれた位置に保持する係止結合部２０，３６を形成している。この位置で、拡張体２４は拡張舌片１８を拡開状態に保持する。拡張体２４とアンカスリーブ１２との係止結合部２０，３６によって拡張体２４は、拡張ねじ４４が拡張アンカ１０から回し外される場合でも、拡張舌片１８の間に引き込まれていて、拡張舌片１８を拡開状態に保持する位置に保たれる。したがって拡張アンカ１０は、拡張ねじ４４を回して外した後も石膏ボード４２内に固定されて保たれており、拡張ねじ４４は問題なく、何度も外され、かつ再びねじ込まれ得る。
【００２１】
拡張体２４の拡張円錐部２６は、拡張舌片１８の間への引き込み時に、拡張舌片１８だけでなく、アンカスリーブ１２と係止舌片２０との結合部２２をも押し広げる。すなわち拡張体２４は、拡張舌片１８の間への引き込み時に、結合部２２も拡開させる。したがって結合部２２も、拡開させられかつ拡張アンカ１０を形状接続的に石膏ボード４２に固定させる拡張舌片または拡張エレメントを形成している。
【００２２】
拡張舌片１８の間への拡張体２４の引き込み時に、係止舌片２０と拡張舌片１８との間のスリット３８内に達する係止フック３６は、回動防止装置１８，２０，３６，３８を形成している。この回動防止装置１８，２０，３６，３８は、アンカスリーブ１２に対する拡張体２４の回動を防止し、かつこれにより、拡張舌片１８の間への拡張体２４の引き込み時に拡張体２４が拡張ねじ４４と一緒に回転させられることを防止する。
【図面の簡単な説明】
【図１】  本発明による拡張アンカの斜視図である。
【図２】  図１に示した拡張アンカの側面図である。
【図３】  図１に示した拡張アンカの使用時を、拡張アンカを半分に切断して示した断面図である。
【図１】
0003864140.tif 000002
【図２】
0003864140.tif 000003
【図３】
0003864140.tif 000004